(57)【要約】【課題】観察者の視野範囲を考慮した適切な画像表示が可能な画像表示装置及び画像表示方法を提供する。【解決手段】画像表示装置１００は、観察者３００に提供する画像を表示するものである。コントローラ１３０は、観察者３００に装着されたセンサ１１０からのセンサ情報に基づいて、観察者３００の位置を検出するとともに、発表者４００に装着されたセンサ１２０からのセンサ情報に基づいて、発表者４００の位置を検出する。次に、コントローラ１３０は、観察者３００の位置情報と発表者４００の位置情報とに基づいて、観察者３００の視野範囲を導出する。更に、コントローラ１３０は、プロジェクタ１４０によってスクリーン１５０上に表示される画像が観察者３００の視野範囲内に含まれるように、当該画像の表示位置を導出する。【選択図】図１
2007122105.tif 000002
【特許請求の範囲】
【請求項１】
観察者に提供する画像を表示する画像表示装置であって、
前記観察者の視野範囲を導出する視野範囲導出手段と、
前記視野範囲導出手段により導出された視野範囲に基づいて、前記画像を表示させる表示制御手段とを有することを特徴とする画像表示装置。
【請求項２】
前記視野範囲導出手段は、
前記観察者の位置を検出する観察者位置検出手段と、
前記画像を用いた発表を行う発表者の位置を検出する発表者位置検出手段とを有し、
前記観察者の位置と前記発表者の位置とに基づいて、前記観察者の視野範囲を導出することを特徴とする請求項１に記載の画像表示装置。
【請求項３】
前記視野範囲導出手段は、前記発表者の位置を含む視野範囲を導出することを特徴とする請求項２に記載の画像表示装置。
【請求項４】
前記視野範囲導出手段は、予め設定された視野角度に対応する視野範囲を導出することを特徴とする請求項１に記載の画像表示装置。
【請求項５】
前記表示制御手段は、前記視野範囲に基づいて、表示位置を導出する表示位置導出手段を有し、
前記表示位置に前記画像を表示させることを特徴とする請求項１に記載の画像表示装置。
【請求項６】
前記表示位置導出手段は、更に、前記観察者の位置、及び、前記画像を用いた発表を行う発表者の位置に基づいて、前記観察者から見て前記発表者と重ならない位置を前記表示位置として導出することを特徴とする請求項５に記載の画像表示装置。
【請求項７】
前記表示制御手段は、前記視野範囲導出手段により導出された視野範囲に基づいて、前記画像の拡大及び縮小処理を行う拡大縮小手段を有することを特徴とする請求項１乃至６のいずれかに記載の画像表示装置。
【請求項８】
前記表示制御手段の制御に応じて画像を出力する画像出力手段を有することを特徴とする請求項１乃至７のいずれかに記載の画像表示装置。
【請求項９】
観察者に提供する画像を表示する画像表示方法であって、
前記観察者の視野範囲を導出する視野範囲導出ステップと、
前記視野範囲導出ステップにより導出された視野範囲に基づいて、前記画像を表示させる表示制御ステップとを有することを特徴とする画像表示方法。
【請求項１０】
前記視野範囲導出ステップは、
前記観察者の位置を検出する観察者位置検出ステップと、
前記画像を用いた発表を行う発表者の位置を検出する発表者位置検出ステップとを有し、
前記観察者の位置と前記発表者の位置とに基づいて、前記観察者の視野範囲を導出することを特徴とする請求項９に記載の画像表示方法。
【請求項１１】
前記視野範囲導出ステップは、前記発表者の位置を含む視野範囲を導出することを特徴とする請求項１０に記載の画像表示方法。
【請求項１２】
前記表示制御ステップは、前記視野範囲に基づいて、前記画像の表示位置を導出する表示位置導出ステップを有し、
前記画像の表示位置に前記画像を表示させることを特徴とする請求項９に記載の画像表示方法。
【請求項１３】
前記表示制御ステップは、前記視野範囲導出ステップにより検出された視野範囲に基づいて、前記画像の拡大及び縮小処理を行う拡大縮小ステップを有することを特徴とする請求項９乃至１２のいずれかに記載の画像表示方法。
【発明の詳細な説明】
【技術分野】
【０００１】
本発明は、観察者に提供する画像を表示する画像表示装置及び画像表示方法に関する。
【背景技術】
【０００２】
従来、プレゼンテーションにおいては、パーソナルコンピュータ（ＰＣ）のプレゼンテーション用ソフトウェアを用いて作成された資料（スライド）画像を、プロジェクタによって投影する手法が用いられることが多い。また、近年は、画像における文字のフォントや色等のデザインを変更するシステム（特許文献１参照）や、複数の画面を利用したシステム（特許文献２参照）もある。画像のデザインを変更することにより、プレゼンテーションの聞き手に注目してもらいたい情報を明確に提供することができる。また、複数の画面を利用することにより、様々な情報を同時に提供することできる。これらのシステムは、いずれも聞き手にとってわかりやすいプレゼンテーションを目的としている。
【特許文献１】特開２００３−２７１２７６号公報
【特許文献２】特開２００３−３２３１６６号公報
【発明の開示】
【発明が解決しようとする課題】
【０００３】
ところで、観察者であるプレゼンテーションの聞き手は、一般に提供されている画像のみに視線を向けているのではなく、プレゼンテーションを行っている発表者へも視線を向けている。これは、聞き手が発表者の表情や身振りを観察することによってプレゼンテーションの内容をより深く理解しようとしているためである。
【０００４】
しかし、特許文献１では、聞き手が視線を向けている対象が画面であることを前提としており、聞き手が発表者に対して視線を向けることが考慮されていない。このため、画像のデザインを変更しても、聞き手の視線がプレゼンテーションの発表者に向かっている場合には、聞き手は、プレゼンテーションの進行と共に切り替わる画像を見逃してしまう場合がある。特に、画面とプレゼンテーションの発表者の距離が離れている場合、視線を向けるべき範囲が広くなるため、聞き手は、視線の方向を画面と発表者とに頻繁に切り替える必要があり、しかも大きな視線移動が必要となる。このような頻繁に起きる大きな視線移動は、聞き手に対して負担を強いることになるばかりでなく、プレゼンテーションの内容理解を妨げることになる。また、特許文献２では、複数の画面により多くの情報が聞き手に提供されるものの、特許文献１と同様、聞き手が発表者に対して視線を向けることが考慮されていないため、頻繁に起きる大きな視線移動によって、聞き手におけるプレゼンテーションの内容理解が妨げられる場合がある。
【０００５】
従って、聞き手がプレゼンテーションの内容を十分に理解するためには、画面のデザインを変更することや、複数の画面を用いて情報量を多くするだけでなく、聞き手が発表者と画像の双方に対して十分に注意を向けることが可能なシステムであることが望ましい。
本発明は、上記問題点に鑑みてなされたもので、観察者の視野範囲を考慮した適切な画像表示が可能な画像表示装置及び画像表示方法を提供することを目的としている。
【課題を解決するための手段】
【０００６】
本発明の画像表示装置は、観察者に提供する画像を表示するものであって、前記観察者の視野範囲を導出する視野範囲導出手段と、前記視野範囲導出手段により導出された視野範囲に基づいて、前記画像を表示させる表示制御手段とを有する。
【０００７】
この構成により、観察者の視野範囲を考慮した画像表示ができ、画像を観察者の視野範囲に含まれるように表示させることが可能となる。
【０００８】
また、本発明の画像表示装置は、前記視野範囲導出手段が、前記観察者の位置を検出する観察者位置検出手段と、前記画像を用いた発表を行う発表者の位置を検出する発表者位置検出手段とを有し、前記観察者の位置と前記発表者の位置とに基づいて、前記観察者の視野範囲を導出する。
【０００９】
この構成により、観察者が一般にプレゼンテーション等において画像のみならず発表者にも視線を向けることに応じた適切な視野範囲を導出することができる。
【００１０】
また、本発明の画像表示装置は、前記視野範囲導出手段が、前記発表者の位置を含む視野範囲を導出する。
【００１１】
この構成により、発表者と画像の双方が観察者の視野範囲に含まれるようにすることができ、観察者の視線移動をできるだけ小さくすることが可能となる。
【００１２】
また、本発明の画像表示装置は、前記視野範囲導出手段が、予め設定された視野角度に対応する視野範囲を導出する。
【００１３】
この構成により、簡易に視野範囲を導出することができる。
【００１４】
また、本発明の画像表示装置は、前記表示制御手段が、前記視野範囲に基づいて、表示位置を導出する表示位置導出手段を有し、前記表示位置に前記画像を表示させる。
【００１５】
この構成により、視野範囲に応じた適切な表示位置に画像を表示させることができる。
【００１６】
また、本発明の画像表示装置は、前記表示位置導出手段が、更に、前記観察者の位置、及び、前記画像を用いた発表を行う発表者の位置に基づいて、前記観察者から見て前記発表者と重ならない位置を前記表示位置として導出する。
【００１７】
この構成により、発表者と画像の双方が重なることなく観察者の視野範囲に含まれるようにすることができる。
【００１８】
また、本発明の画像表示装置は、前記表示制御手段が、前記視野範囲導出手段により導出された視野範囲に基づいて、前記画像の拡大及び縮小処理を行う拡大縮小手段を有する。
【００１９】
この構成により、画像を観察者の視野範囲に含まれるようにしつつ、より見やすい適切な大きさで表示させることができる。
【００２０】
また、本発明の画像表示装置は、前記表示制御手段の制御に応じて画像を出力する画像出力手段を有する。
【００２１】
また、本発明の画像表示方法は、観察者に提供する画像を表示する画像表示方法であって、前記観察者の視野範囲を導出する視野範囲導出ステップと、前記視野範囲導出ステップにより導出された視野範囲に基づいて、前記画像を表示させる表示制御ステップとを有する。
【００２２】
この構成により、観察者の視野範囲を考慮した画像表示ができ、画像を観察者の視野範囲に含まれるように表示させることが可能となる。
【００２３】
また、本発明の画像表示方法は、前記視野範囲導出ステップが、前記観察者の位置を検出する観察者位置検出ステップと、前記画像を用いた発表を行う発表者の位置を検出する発表者位置検出ステップとを有し、前記観察者の位置と前記発表者の位置とに基づいて、前記観察者の視野範囲を導出する。
【００２４】
この構成により、観察者が一般にプレゼンテーション等において画像のみならず発表者にも視線を向けることに応じた適切な視野範囲を導出することができる。
【００２５】
また、本発明の画像表示方法は、前記視野範囲導出手段が、前記発表者の位置を含む視野範囲を導出する。
【００２６】
この構成により、発表者と画像の双方が観察者の視野範囲に含まれるようにすることができ、観察者の視線移動をできるだけ小さくすることが可能となる。
【００２７】
また、本発明の画像表示方法は、前記表示制御ステップが、前記視野範囲に基づいて、前記画像の表示位置を導出する表示位置導出ステップを有し、前記画像の表示位置に前記画像を表示させる。
【００２８】
この構成により、視野範囲に応じた適切な表示位置に画像を表示させることができる。
【００２９】
また、本発明の画像表示方法は、前記表示制御ステップが、前記視野範囲導出ステップにより検出された視野範囲に基づいて、前記画像の拡大及び縮小処理を行う拡大縮小ステップを有する。
【００３０】
この構成により、画像を観察者の視野範囲に含まれるようにしつつ、より見やすい適切な大きさで表示させることができる。
【発明の効果】
【００３１】
本発明によれば、観察者の視野範囲を考慮した適切な画像表示が可能となる。
【発明を実施するための最良の形態】
【００３２】
以下、本発明の実施の形態の画像表示装置について、図面を用いて説明する。図１は、本発明における画像表示装置のハードウェア構成を示す図である。図１に示す画像表示装置１００は、会議室等で行われるプレゼンテーション等において、発表者４００が聞き手である観察者３００に対して画像を用いた発表を行う際に、当該画像を表示するものである。この画像表示装置１００は、センサ１１０、１２０、コントローラ１３０、プロジェクタ１４０及びスクリーン１５０により構成される。
【００３３】
センサ１１０は、観察者３００に装着されるものである。このセンサ１１０は、例えば空間位置センサであり、観察者３００の位置検出に必要な各種センサ情報（例えば、３次元空間における座標情報）を検出して、コントローラ１３０へ出力する。センサ１２０は、発表者４００に装着されるものである。このセンサ１２０は、センサ１１０と同様、例えば磁気による空間位置センサであり、発表者４００の位置検出に必要な各種センサ情報を検出して、コントローラ１３０へ出力する。
【００３４】
コントローラ１３０は、上述したセンサ１１０及びセンサ１２０からの各種センサ情報を取得して、観察者３００の視野範囲内に発表者４００と画像の双方が含まれるように、プロジェクタ１４０による画像出力を制御する。
【００３５】
図２は、コントローラ１３０の機能ブロック図である。図２に示すコントローラ１３０は、観察者３００の視野範囲を導出する視野範囲導出部２１０、画像表示を制御する表示制御部２２０、及び、画像データを出力する画像出力部２３０により構成される。これらのうち、視野範囲導出部２１０は、観察者３００の位置を検出する観察者位置検出部２１２と、発表者４００の位置を検出する発表者位置検出部２１４とを有する。また、表示制御部２２０は、会議室における画像の表示位置を導出する表示位置導出部２２２と、表示すべき画像の拡大及び縮小処理を行う拡大縮小部２２４とを有する。コントローラ１３０の詳細な動作については後述する。
【００３６】
再び、図１に戻って説明する。プロジェクタ１４０は、コントローラ１３０の制御に従って、スクリーン１５０における、観察者３００の視野範囲内の所定位置に画像を表示する。
【００３７】
次に、コントローラ１３０の動作について、フローチャートを参照しつつ説明する。図３は、コントローラ１３０の動作を示すフローチャートである。コントローラ１３０内の視野範囲検出部２１０における観察者位置検出部２１２は、観察者３００に装着されたセンサ１１０からのセンサ情報に基づいて、観察者３００の位置を検出する（Ｓ１０１）。
【００３８】
具体的には、観察者３００が１人だけの場合には、観察者位置検出部２１２は、その観察者３００に装着されたセンサ１１０からのセンサ情報に基づいて、当該観察者３００の位置を検出する。また、観察者３００が複数存在する場合には、観察者位置検出部２１２は、複数の観察者３００のうちの代表者に装着されたセンサ１１０からのセンサ情報に基づいて、当該観察者３００の位置を検出する。あるいは、観察者位置検出部２１２は、複数の観察者３００のそれぞれに装着されたセンサ１１０からのセンサ情報に基づいて、各観察者３００の位置を検出して、観察者３００の分布を把握するとともに、その分布の重心位置を観察者３００の位置として検出する。なお、観察者３００の位置検出は、これらの方法に限定されるものではなく、様々な方法が考えられる。
【００３９】
更に、視野範囲検出部２１０における発表者位置検出部２１４は、発表者４００に装着されたセンサ１２０からのセンサ情報に基づいて、発表者４００の位置を検出する（Ｓ１０２）。
【００４０】
このようにして、観察者３００及び発表者４００の位置が検出されると、次に、視野範囲導出部２１０は、観察者３００の位置情報と発表者４００の位置情報とに基づいて、観察者３００の視野範囲を導出する（Ｓ１０３）。
【００４１】
具体的には、視野範囲導出部２１０は、観察者３００の位置を中心として、発表者４００の位置を含む水平方向の所定角度の領域を視野範囲として導出する。人間の視野範囲は、通常、水平方向約２００度の領域である。但し、弁別能力や注意の度合いに応じて、無理なく注視が可能な範囲とされる注視安定視野角度に対応する水平方向約８０度の領域を視野範囲とすることがより好ましい。この場合、視野範囲導出部２１０は、図４に示すように、観察者３００の位置を中心として、発表者４００の位置を含む注視安定視野角度に対応する水平方向約８０度の領域を観察者３００の視野範囲として導出する。また、視野範囲導出部２１０は、観察者３００の注意がより強く向けられる有効視野と称される水平方向３０度の領域を視野範囲としてもよい。なお、観察者３００の視野角度は、利用者によって設定されたものがそのまま用いられるようにしてもよい。視野範囲導出部２１０は、導出した観察者３００の視野範囲、観察者３００の位置、及び、発表者４００の位置の各情報を表示制御部２２０へ出力する。
【００４２】
表示制御部２２０における表示位置導出部２２２は、視野範囲導出部２１０によって導出された観察者３００の視野範囲に基づいて、当該観察者３００の視野範囲内に、表示すべき画像が含まれるように、当該画像の表示位置を導出する（Ｓ１０４）。この際、表示位置導出部２２２は、観察者３００の位置及び発表者４００の位置に基づいて、観察者３００から見て発表者４００と画像とが重ならないような位置を、画像の表示位置とする。
【００４３】
更に、拡大縮小部２２４は、観察者３００の視野範囲に基づいて、当該観察者３００の視野範囲内に画像全体が含まれるように、当該画像の拡大及び縮小処理を行う（Ｓ１０５）。なお、初期の表示倍率が適切である場合には、画像の拡大及び縮小処理は行われない。導出された画像の表示位置と表示倍率とは、画像出力部２３０へ出力される。
【００４４】
次に、画像出力部２３０は、プロジェクタ１４０に対して、画像を出力する（Ｓ１０６）。具体的には、画像出力部２３０は、ＪＰＥＧ（Joint Photographic Experts Group）等の画像のデータそのものと、画像の表示位置及び表示倍率の情報とを出力する。プロジェクタ１４０は、画像の表示位置の情報に基づいて表示位置を設定するとともに、表示倍率の情報に基づいて表示倍率を設定し、画像データに基づく画像をスクリーン１５０に表示する。
【００４５】
これにより、図５に示すように、観察者３００の視野範囲内に、発表者４００と２つの画像５０１及び５０２からなる画像５００との双方が観察者３００から見て重ならないように、当該画像５００が表示される。
【００４６】
このように、画像表示装置１００内のコントローラ１３０は、観察者３００に装着されたセンサ１１０からのセンサ情報に基づいて、観察者３００の位置を検出するとともに、発表者４００に装着されたセンサ１２０からのセンサ情報に基づいて、発表者４００の位置を検出し、これら観察者３００の位置情報と発表者４００の位置情報とに基づいて、観察者３００の視野範囲を導出する。更に、コントローラ１３０は、プロジェクタ１４０によってスクリーン１５０上に表示される画像が観察者３００における発表者４００を含む視野範囲内に含まれるように、且つ、観察者３００から見て発表者４００と画像とが重ならないように、当該画像の表示位置の導出と拡大縮小を行う。従って、観察者３００は、発表者４００と画像５００のとの双方に対して、小さな視線移動のみで十分に注意を向けることができ、内容の理解が妨げられることがない。
【００４７】
ところで、図３に示すフローチャートの動作は、周期的に繰り返される。図６に示すように、発表者４００の移動によって観察者３００の視野範囲が変動し、画像５００の一部である画像５０２がその視野範囲から外れた場合には、観察者３００の視野範囲内に存在する画像は、画像５０１だけである。このため、画像５０１と画像５０２とを利用したプレゼンテーションが行われると、観察者３００は、頻繁に大きな視線移動を行わなければならず、発表者４００と画像５００の双方に十分な注意を向けることができずに、その内容を理解することがと困難となる。
【００４８】
しかし、図３に示すフローチャートの動作が周期的に繰り返されることによって、発表者４００が移動しても画像５００の表示位置と表示倍率とが調整され、再度、観察者３００の視野範囲内に画像５００が含まれるように表示が行われる。
【００４９】
なお、上述した実施形態では、図３において、観察者３００の位置の検出（Ｓ１０１）の後に発表者４００の位置の検出（Ｓ１０２）が行われたが、発表者４００の位置の検出の後に観察者３００の位置の検出が行われてもよい。また、図３において、画像表示位置の導出（Ｓ１０４）の後に画像の大きさ調整（Ｓ１０５）が行われたが、画像の大きさ調整の後に画像表示位置の導出が行われてもよく、更には、画像表示位置の導出と画像の大きさ調整とのいずれか一方のみが行われてもよい。
【産業上の利用可能性】
【００５０】
以上、説明したように、本発明に係る画像表示装置及び画像表示方法は、観察者の視野範囲を考慮した適切な画像表示が可能であり、画像表示装置及び画像表示方法として有用である。
【図面の簡単な説明】
【００５１】
【図１】画像表示装置のハードウェア構成を示す図である。
【図２】コントローラの機能ブロック図である。
【図３】コントローラの動作を示すフローチャートである。
【図４】視野範囲の一例を示す図である。
【図５】画像表示の第１の例を示す図である。
【図６】画像表示の第２の例を示す図である。
【符号の説明】
【００５２】
１００  画像表示装置
１１０、１２０  センサ
１３０  コントローラ
１４０  プロジェクタ
１５０  スクリーン
２１０  視野範囲導出部
２１２  観察者位置検出部
２１４  発表者位置検出部
２２０  表示制御部
２２２  表示位置導出部
２２４  拡大縮小部
２３０  画像出力部
３００  観察者
４００  発表者
５００、５０１、５０２  画像
【図１】
2007122105.tif 000003
【図２】
2007122105.tif 000004
【図３】
2007122105.tif 000005
【図４】
2007122105.tif 000006
【図５】
2007122105.tif 000007
【図６】
2007122105.tif 000008